(57)【特許請求の範囲】
【請求項１】
傾斜地に設置可能な手摺構造であって、当該手摺の一部分が跳ね上げ可能とされた跳ね上げ式手摺構造において、
設置面に立設された支柱に固定される支持部材であって、前記手摺部材を取り付ける高さ位置の調整が可能とされた支持部材と、
前記支持部材にその基端部が回動可能に取着される手摺部材と、そして、
設置すべき傾斜角度の如何を問わず前記手摺部材をその基端部を中心として回動させることにより跳ね上げて略鉛直方向に起立させたときにその状態を保持するために前記手摺部材の基端部側に設けられた保持手段と、
を備え、
前記支持部材は、
長手方向に沿って縦長の溝部が表裏面に形成された細長い板状の支持バーと、
前記支柱及び前記支持バーを挟持する２個一対の挟持片であって、前記支持バーを挟持する側の内側面には前記支持バーに設けられた前記溝部に嵌着する凸部が形成された挟持片を備えたジョイント金具と、
を備えて構成され、
前記ジョイント金具によって前記溝部が形成された範囲内で前記支持バーを固定可能とすることで前記手摺部材を配置すべき高さ位置を調整可能とし、それによって前記手摺部材を一直線になるように設置することを可能としたことを特徴とする跳ね上げ式手摺構造。
【請求項２】
請求項１に記載の跳ね上げ式手摺構造において、
前記支持部材は、前記支柱に対していずれの方向からも固定可能とされたことを特徴とする跳ね上げ式手摺構造。
【請求項３】
傾斜地に設置可能な手摺構造であって、当該手摺の一部分が跳ね上げ可能とされた跳ね上げ式手摺構造において、
設置面に立設された支柱に固定される連結部材と、
跳ね上げ可能な手摺部材の先端側に形成され、当該手摺部材の設置角度にかかわらず連結動作がいずれの方向から行われても前記連結部材に着脱可能に連結固定されるロック機構と、
を備え、
前記連結部材は、
長手方向に沿って縦長の溝部が表裏面に形成された細長い板状の支持バーと、
前記支柱及び前記支持バーを挟持する２個一対の挟持片であって、前記支持バーを挟持する側の内側面には前記支持バーに設けられた前記溝部に嵌着する凸部が形成された挟持片を備えたジョイント金具と、
を備えて構成され、
前記ジョイント金具によって前記溝部が形成された範囲内で前記支持バーを固定可能とすることで前記手摺部材を配置すべき高さ位置を調整可能とし、それによって前記手摺部材を一直線になるように設置することを可能としたことを特徴とする跳ね上げ式手摺構造。
【請求項４】
傾斜地に設置可能な手摺構造であって、当該手摺の一部分が跳ね上げ可能とされた跳ね上げ式手摺構造において、
設置面に立設された支柱に固定される板状の支持バーを備えた連結部材であって、前記支持バーの先端側近傍に円柱状の突起部を備えると共に、取り付けるべき高さ位置の調整が可能とされた連結部材と、
跳ね上げ可能な手摺部材の先端側に形成され、当該手摺部材の設置角度にかかわらず連結動作がいずれの方向から行われても前記連結部材に着脱可能に連結固定されるロック機構であって、当該ロック機構は、前記突起部に係止される係止部を有するロック片を備え、前記ロック片は弾性部材により付勢された状態で前記突起部に接触しながら移動して前記係止部が前記突起部に係止されることにより前記手摺部材の設置角度にかかわらず前記手摺部材が前記連結部材に連結固定されるロック機構と、
を備えて構成されたことを特徴とする跳ね上げ式手摺構造。
【請求項５】
請求項４に記載の跳ね上げ式手摺構造において、
前記突起部に係止された前記ロック片を付勢する前記弾性体の付勢力に抗して前記突起部に係止された前記ロック片の係止を解除する解除機構を備えて構成されたことを特徴とする跳ね上げ式手摺構造。
【請求項６】
請求項３から５のいずれか１項に記載の跳ね上げ式手摺構造において、
前記連結部材は、前記支柱に対して水平方向におけるいずれの方向からも固定可能とされたことを特徴とする跳ね上げ式手摺構造。
【発明の詳細な説明】
【技術分野】
【０００１】
本発明は、跳ね上げ式手摺構造に関し、さらに詳しくは、傾斜地に設置可能な手摺構造であって、当該手摺の一部分が跳ね上げ可能とされた跳ね上げ式手摺構造に関する。
【背景技術】
【０００２】
従来、高齢者やリハビリ中の者が家屋内で歩行移動するに際してその歩行を補助するために階段や廊下等の壁面に手摺を設置することが行われている。
しかし、その途中に窓や出入口等があるとその部分には手摺を常設することができないことからその場所では手摺が途切れてしまうことになる。健常者にとっては何の問題もない距離であっても高齢者やリハビリ中の者にとってはそのような手摺のない僅かな距離がとても不安で通過に時間がかかる上、実際に転倒事故につながることがある。
そのため、途中に窓や出入口等があっても手摺の一部をその一端部を支点として回動可能に構成することにより、高齢者やリハビリ中の者が歩行する際には連続した手摺を形成する一方、窓や出入口等を利用する際には手摺の一部を垂直に起立させることが可能な跳ね上げ式手摺が提案されている。
このような跳ね上げ式手摺としては、例えば、特開２０００−９３２２７号（特許文献１）や特開平１１−２３６７５５号公報（特許文献２）がある。
【先行特許文献】
【特許文献】
【０００３】
【特許文献１】
特開２０００−９３２２７号公報
【特許文献２】
特開平１１−２３６７５５号公報
【発明の開示】
【発明が解決しようとする課題】
【０００４】
しかしながら、従来の跳ね上げ式手摺にあっては、手摺を支持するブラケットを壁面に取り付けて設置するタイプのものであることからこれを屋外に設置するには設置場所に壁面が存在することが必要であり設置場所に大きな制約を受けるという問題があった。これに対して特許文献２に開示された第４実施例は床面に立設された支柱にブラケットを取り付けるタイプのものであり壁面は必要としないが、跳ね上げた手摺を保持するための上部支持部が天井面に設けられていることが特徴となっているためこれも屋外での設置には対応できないという問題があった。
【０００５】
また、従来の跳ね上げ式手摺は家屋内で水平に架設することが前提とされていたことから、跳ね上げの支点となる可動部の跳ね上げ角度が手摺の設置方向である水平方向に対して略９０°となるように構成されていた。そのため、これをそのまま傾斜地に設置する場合には可動部を傾斜に対して上側に配置された支柱に設けてしまうと手摺を跳ね上げて９０°折り曲げても鉛直方向にまで至らず跳ね上げ状態で保持することできない。従って、跳ね上げの支点となる可動部は常に傾斜に対して下側に配置された支柱に設けなければならないという制約があった。
【０００６】
さらに、特許文献２に開示された第１実施例にあっては、跳ね上げ可能な手摺の先端側を水平状態に支持するブラケットが一本のボルトにより締着されていると共に、このボルトが水平方向の回転軸とされている。すなわち、このブラケットにより水平方向における手摺の配置角度を調整することができるようになっている。しかし、かかる構成では手摺の繰り返し行われる先端部のブラケットへの着脱動作によってボルトが緩みブラケットの位置がずれて手摺の先端部が確実に収容できなくなるおそれがある。また、手摺を傾斜を設けて設置した場合には跳ね上げ可能な手摺の先端側がブラケットに確実に収容できないのは上述したとおりである。
【０００７】
そこで、本発明は、かかる従来の問題点を解決し、屋外に設置可能な跳ね上げ式手摺構造を提供することを目的とする。
また、本発明は、階段や坂道等の傾斜地へ設置するに際して跳ね上げの支点となる可動部を傾斜に対して上側に配置された支柱又は下側に配置された支柱のいずれの側に設けることが可能な跳ね上げ式手摺構造を提供することを目的とする。
さらに、本発明は、手摺の設置角度にかかわらず跳ね上げ可能な手摺の先端側を確実に保持固定することが可能な跳ね上げ式手摺構造を提供することを目的とする。
【課題を解決するための手段】
【０００８】
上記課題を解決するために請求項１に記載の本発明は、傾斜地に設置可能な手摺構造であって、当該手摺の一部分が跳ね上げ可能とされた跳ね上げ式手摺構造において、設置面に立設された支柱に固定される支持部材であって、手摺部材を取り付ける高さ位置の調整が可能とされた支持部材と、支持部材にその基端部が回動可能に取着される手摺部材と、そして、設置すべき傾斜角度の如何を問わず手摺部材をその基端部を中心として回動させることにより跳ね上げて略鉛直方向に起立させたときにその状態を保持するために手摺部材の基端部側に設けられた保持手段とを備え、支持部材は、長手方向に沿って縦長の溝部が表裏面に形成された細長い板状の支持バーと、支柱及び支持バーを挟持する２個一対の挟持片であって、支持バーを挟持する側の内側面には支持バーに設けられた溝部に嵌着する凸部が形成された挟持片を備えたジョイント金具とを備えて構成され、ジョイント金具によって溝部が形成された範囲内で前記支持バーを固定可能とすることで手摺部材を配置すべき高さ位置を調整可能とし、それによって手摺部材を一直線になるように設置することを可能としたことを特徴とする。
【０００９】
上記課題を解決するために請求項２に記載の本発明は、請求項１に記載の跳ね上げ式手摺構造において、支持部材は、支柱に対していずれの方向からも固定可能とされたことを特徴とする。
【００１０】
上記課題を解決するために請求項３に記載の本発明は、傾斜地に設置可能な手摺構造であって、当該手摺の一部分が跳ね上げ可能とされた跳ね上げ式手摺構造において、設置面に立設された支柱に固定される連結部材と、跳ね上げ可能な手摺部材の先端側に形成され、当該手摺部材の設置角度にかかわらず連結動作がいずれの方向から行われても連結部材に着脱可能に連結固定されるロック機構とを備え、連結部材は、長手方向に沿って縦長の溝部が表裏面に形成された細長い板状の支持バーと、支柱及び支持バーを挟持する２個一対の挟持片であって、支持バーを挟持する側の内側面には支持バーに設けられた溝部に嵌着する凸部が形成された挟持片を備えたジョイント金具とを備えて構成され、ジョイント金具によって溝部が形成された範囲内で支持バーを固定可能とすることで手摺部材を配置すべき高さ位置を調整可能とし、それによって手摺部材を一直線になるように設置することを可能としたことを特徴とする。
【００１１】
上記課題を解決するために請求項４に記載の本発明は、傾斜地に設置可能な手摺構造であって、当該手摺の一部分が跳ね上げ可能とされた跳ね上げ式手摺構造において、設置面に立設された支柱に固定される板状の支持バーを備えた連結部材であって、支持バーの先端側近傍に円柱状の突起部を備えると共に、取り付けるべき高さ位置の調整が可能とされた連結部材と、跳ね上げ可能な手摺部材の先端側に形成され、当該手摺部材の設置角度にかかわらず連結動作がいずれの方向から行われても連結部材に着脱可能に連結固定されるロック機構であって、当該ロック機構は、突起部に係止される係止部を有するロック片を備え、ロック片は弾性部材により付勢された状態で突起部に接触しながら移動して係止部が前記突起部に係止されることにより手摺部材の設置角度にかかわらず手摺部材が連結部材に連結固定されるロック機構とを備えて構成されたことを特徴とする。
【００１２】
上記課題を解決するために請求項５に記載の本発明は、請求項４に記載の跳ね上げ式手摺構造において、突起部に係止されたロック片を付勢する弾性体の付勢力に抗して突起部に係止されたロック片の係止を解除する解除機構を備えて構成されたことを特徴とする。
【００１３】
上記課題を解決するために請求項６に記載の本発明は、請求項３から５のいずれか１項に記載の跳ね上げ式手摺構造において、連結部材は、支柱に対して水平方向におけるいずれの方向からも固定可能とされたことを特徴とする。
【発明の効果】
【００１４】
本発明に係る跳ね上げ式手摺構造によれば、屋外であっても跳ね上げ式手摺を設置することが可能となるという効果がある。
また、本発明に係る跳ね上げ式手摺構造によれば、階段や坂道等の傾斜地へ設置するに際して跳ね上げの支点となる可動部を傾斜に対して上側に配置された支柱又は下側に配置された支柱のいずれの側に設けることが可能となるという効果がある。
さらに、本発明に係る跳ね上げ式手摺構造によれば、手摺の設置角度にかかわらず跳ね上げ可能な手摺の先端側を確実に保持固定することができるという効果がある。
【図面の簡単な説明】
【００１５】
【図１】  本発明に係る跳ね上げ式手摺構造の一実施形態を示す側面図である。
【図２】  手摺部材を跳ね上げて鉛直方向に保持した状態を示す側面図である。
【図３】  （ａ）は支持バーの側面図、（ｂ）は支持バーの正面図、（ｃ）は支持バーの底面図である。
【図４】  （ａ）は支柱に取り付けるジョイント金具の平面図、（ｂ）はその正面図である。
【図５】  （ａ）は他の実施形態におけるジョイント金具の正面図、（ｂ）はそのジョイント金具を使用した跳ね上げ式手摺構造の一実施形態を示す斜視図である。
【図６】  （ａ）〜（ｃ）はそれぞれ手摺部材の基端部を支点として回動する状態を示す側面図である。
【図７】  本発明に係る跳ね上げ式手摺構造及びシステムの一実施形態を示す側面図であり、手摺部材の基端部を傾斜に対して上側に配置した状態を示す側面図である。
【図８】  手摺部材を水平に配置した状態を示す側面図である。
【図９】  （ａ）はチャッキングバーの側面図、（ｂ）はチャッキングバーの正面図、（ｃ）はチャッキングバーの底面図である。
【図１０】  ロック機構の構造を示す斜視図である。
【図１１】  ロック片の形状を示す斜視図である。
【図１２】  ロック片が突起部に係止されるに至るまでの動きを示す説明図である。
【図１３】  （ａ）は手摺部材の先端部が連結部材から外れた状態を示す側面図、（ｂ）は手摺部材の先端部が連結部材に連結された状態を示す側面図である。
【図１４】  手摺部材の連結状態を示す説明図である。
【図１５】  支持部材及び手摺部材の水平方向の取り付け状態を示す平面図である。
【発明を実施するための形態】
【００１６】
以下、本発明に係る跳ね上げ式手摺構造について、図示された好ましい一実施形態に基づいて、さらに詳しく説明する。図１は本発明に係る跳ね上げ式手摺構造の一実施形態を示す側面図、図２は手摺部材を跳ね上げて鉛直方向に保持した状態を示す側面図である。
【００１７】
初めに、図示された跳ね上げ式手摺１は、代表的な傾斜地である階段に設置されている。傾斜方向下側に位置する設置面Ｇ１には支柱３が立設され、傾斜方向上側に位置する設置面Ｇ２には支柱５が立設されている。そして、支柱３には支持部材１０が取着され、支柱５には連結部材２０が取着されている。支持部材１０には手摺部材３０がその基端部３１が回動可能な状態で取り付けられ、手摺部材３の基端部３１とは反対側の先端部３３側は連結部材２０に着脱可能に連結固定されるようになっている。概略的に示した上記の構成により手摺部材３０は基端部３１を支点として回動し、図２に示すように、鉛直状態に跳ね上げることができるようになっている。
【００１８】
上述の支柱３は、図示しないアンカーボルト等の締着固定具により設置面Ｇ１に固定されたアンカー部材３ａを介して立設されている。同様に、支柱５は、図示しないアンカーボルト等の締着固定具により設置面Ｇ２に固定されたアンカー部材５を介して立設されている。尚、支柱３、５の設置の仕方は特に限定されるものではなく通常の手段により設置すればよい。
支柱３、５は、いずれも円筒状の金属製パイプ材により形成されており、その上端部には手摺部材３ｃ、５ｃの設置面に対する傾斜角を調整可能とする縦方向に可動可能な手摺連結部材３ｂ、５ｂが配設されている。これにより、手摺連結部材３ｂ、５ｂを設置場所である階段の傾斜に即した角度になるように調整した状態で手摺部材３ｃ、５ｃが取り付けることができるようになっている。尚、支柱３、５の材質は金属製のものに限られるものではなく適宜の材料を選択することができる。
【００１９】
支柱３に取り付けられる支持部材１０は、手摺部材３０の基端部３１を回動可能な状態で取り付けるための支持バー１１と、支持バー１１を支柱３に取り付けるための上下２つのジョイント金具１３、１３を備えて構成されている。
支持バー１１は、図３に示すように、概略として、細長い板状の形状を有しており、その上部側は後述する手摺部材３０の基端部３１側の回動運動を阻止しないようにするため略半円形状とされている。そして、この支持バー１１の上部側には略円形状にくり抜かれた空隙部１１ａが形成されると共に、その空隙部１１ａに連通するようにして挿入部１１ｂが形成されており、全体として鍵穴形状の空間が形成されている。この挿入部１１ｂは支柱３に取り付けられたときに略鉛直方向に伸びるように設置されるようになっている。
【００２０】
また、支持バー１１の表裏面には、それぞれ長手方向に沿って縦長の溝部１１ｃ、１１ｃが形成されている。この溝部１１ｃ、１１ｃは、支持バー１１を２つのジョイント金具１３、１３によって支柱３に取り付ける際にジョイント金具１３の後述する挟持片１３ａに設けられた凸部１３ｅが密接するように形成されており、これによって支持バー１１がしっかりと支持されるようになっている。また、溝部１１ｃは縦長に形成されているのはジョイント金具１３、１３の取り付け位置を調整可能とするためであり、これによって手摺部材３０を配置すべき高さ位置を調整することが可能とされ、手摺部材３０と手摺３ｃ、５ｃとが一直線になるように設置することができるようになっている。
さらに、支持バー１１の下部側には、その両側面から突出するようにして抜止突起１１ｄ、１１ｄが設けられている。この抜止突起１１ｄ、１１ｄにより下側のジョイント金具１３が容易にずれたり脱落したりするのを防止する機能を果たす。
【００２１】
ジョイント金具１３は、図４（ａ）（ｂ）に示すように、支柱３及び支持バー１１を挟持する２個一対の挟持片１３ａ、１３ａと、この一対の挟持片１３ａ、１３ａで支柱３及び支持バー１１を挟持した状態でしっかりと固定するためのボルト１３ｂ及びナット１３ｃを有して構成されている。各挟持片１３ａ、１３ａの側面には、ボルト１３ｂ又はナット１３ｃを収容するための凹部１３ｄがそれぞれ形成されている。
【００２２】
挟持片１３ａのうち支柱３を挟持する側の内側面は支柱３が有する曲率に対応した曲面を有して形成されている。一方、挟持片１３ａの支持バー１１を挟持する側の内側面には支持バー１１に設けられた溝部１１ｃに嵌着するような凸部１３ｅが形成されており、これによって挟持片１３ａ、１３ａは支持バー１１にしっかりと食い込むように固定されるようになっている。そして、溝部１１ｃは支持バー１１の長手方向に沿って形成されており、その範囲内で支持部材１０を支柱３に対して所望の高さ位置に取り付けることができるようになっているのは上述の通りである。そして、図１に示された跳ね上げ式システム１では２個一対の挟持片１３ａ、１３ａから構成されるジョイント金具１３が上下に２つ用いられている。尚、支持バー１１を２つのジョイント金具１３、１３で固定するのは支柱３に確実に固定するためであり１つ又は２つ以上用いることも可能である。ここで、支持バー１１を１つのジョイント金具で固定する場合に用いるジョイント金具の一実施例を図５（ａ）に示す。尚、理解を容易にするため同様の構成部材については同じ符号を用いた。図５（ａ）に示されたジョイント金具１３は、図４（ｂ）に示した挟持片１３ａを縦長にしたような形状をした挟持片１３ａを備え、この挟持片１３ａの側面にボルト１３ｂ又はナット１３ｃを収容するための凹部１３ｄを上下に２つ備えて形成されている。それ以外の部分については概ね図４（ａ）（ｂ）に示したジョイント金具１３と同様であるのでその説明は省略する。図５（ｂ）に図５（ａ）に示したジョイント金具１３を使用した一実施形態の跳ね上げ式手摺１を示す。
【００２３】
一方、図６（ａ）〜（ｃ）に示すように、手摺部材３０の基端部３１側には支持バー１１の上部側に設けられた略円形状の空隙部１１ａの直径より僅かに小さく且つ挿入部１１ｂに挿入可能な大きさに形成された挿入片３５が設けられている。そして、この挿入片３５と、空隙部１１ａ及び挿入部１１ｂにより形成される鍵穴形状の空間部によって手摺部材３０を略鉛直方向に起立させたときに手摺部材３０をその状態で保持する保持手段が形成されている。
すなわち、手摺部材３０の挿入片３５が略円形状の空隙部１１ａに位置している場合には挿入片３５の長さが空隙部１１ａの直径よりも僅かに小さいことから挿入片３５は空隙部１１ａ内で自由に回動することが可能であり、これにより手摺部材３０が基端部３１を中心として回動し、跳ね上げ動作を行うことが可能となる。
そして、手摺部材３０を鉛直状態にすると挿入片３５は空隙部１１ａに連通して設けられた挿入部１１ｂに自重によって簡単に挿入される。この状態では手摺部材３０の自由な回動が阻止されるので手摺部材３０は鉛直に起立した状態で保持される。さらに、手摺部材３０を持ち上げて挿入片３５を空隙部１１ａの位置に移動させれば再び自由な回動が可能となり元の傾斜状態に戻すことが可能となる。
【００２４】
以上のような構成によれば、手摺部材３０が鉛直に起立した状態になったときのみ挿入片３５が挿入部１１ｂに挿入されるので設置すべき傾斜角度の如何を問わず手摺部材３０を必ず鉛直状態に保持することができ、このことは特筆すべき利点であるといえる。すなわち、図１に示すように、跳ね上げ動作のための回動の支点となる手摺部材３０の基端部３１は傾斜に対して下側に配置された支柱３に設けることはもちろん、図７に示すように、回動の支点となる手摺部材３０の基端部３１を傾斜に対して上側に配置された支柱３に設けることもでき、この場合でも手摺部材３０を鉛直に起立した状態で保持することができる。これにより設置における制約が減少し、多様な傾斜面に柔軟に対応して設置することが可能となる。尚、傾斜面に限らず、図８に示すように、設置面Ｇ１と設置面Ｇ２が同一水平面上にあり、手摺部材３０が水平状態に設置することができることはいうまでもない。
【００２５】
次に、支柱５に取り付けられる連結部材２０について説明する。連結部材２０は、支持部材１０とほぼ同様な構成を備えており、概略として、手摺部材３０の先端部３３側に設けられた後述するロック機構４０が着脱可能に連結固定されるチャッキングバー２１と、チャッキングバー２１を支柱５に取り付けるためのジョイント金具１３、１３を備えて構成されている。
【００２６】
チャッキングバー２１は、図９（ａ）〜（ｃ）に示すように、概略として細長い板状形状を有しており、その上部側は山切状に形成されると共に、さらにその上部から突き出すようにしてチャッキングバー２１よりも厚みの薄い突出片２１ｂを備えて形成されている。そして、この突出片２１ｂに手摺部材３０の先端部３３側に設けられた後述するロック機構４０が着脱可能に連結固定する円柱状の突起部２１ａが形成されている。すなわち、突起部２１ａは連結部材２０の先端部近傍に位置して配置されている。チャッキングバー２１よりも厚みの薄い突出片２１ｂを設けたのは突出片２１ｂを手摺部材３０の先端部３３に内装されたロック機構４０へ案内する開口部４９（図１０参照）の開口幅をなるべく狭くするためである。
【００２７】
山切状にされたチャッキングバー２１の上部側の左右の両斜面２１ｅ、２１ｅの傾斜角度は手摺部材３０がチャッキングバー２１に連結されたときに接触して連結を阻害することがないように手摺部材３０が設置される最大斜度に対応して設定される。
【００２８】
また、チャッキングバー２１の表裏面には、支持バー１１と同様に、それぞれ長手方向に沿って縦長の溝部２１ｃ、２１ｃが形成されていると共に、チャッキングバー２１の下部側にはその両側面から突出するようにして抜止突起２１ｄ、２１ｄが設けられている。この溝部２１ｃ、２１ｃ及び抜止突起２１ｄ、２１ｄの働きは支持バー１１の場合と同様であるためここでの説明は省略する。
【００２９】
一方、図１０に示すように、手摺部材３０の先端部３３側にはチャッキングバー２１の上部側に設けられた円柱状の突起部２１ａに着脱可能に連結固定されるロック機構４０が設けられている。
ロック機構４０は、概略として、チャッキングバー２１の略円柱状の突起部２１ａに係止されるロック片４１と、ロック片４１を付勢するためのバネ部材４７と、ロック片４１と突起部２１ａの係止状態を解除する解除機構である解除ボタン４３を有して構成され、これらが手摺部材３０の先端部３３の内部に内装されている。そして、手摺部材３０の先端部３３側にはチャッキングバー２１に設けられた突起部２１ａをロック機構４０へ案内する開口部４９が形成されている。開口部４９は、突起部２１ａを受入可能な程度の開口幅を有してスリット状に形成されている。
【００３０】
ロック片４１は、図１１に示すように、概略として、突起部２１ａに接触して摺動するような鋭角の傾斜面である滑り面４１ａを備えており、この滑り面４１ａの縁端部に突起部２１ａに係止する係止部４１ｂが形成されている。また、ロック片４１の上部側には手摺部材３０の先端部３３の内部に内装配置するためにその内部に取り付けられたピン４５（図１０参照）が挿貫される孔部４１ｅ、４１ｅが設けられている。また、ロック片４１にはロック片４１を付勢するためのバネ部材４７を収容するためのバネ部材収容部４１ｄが形成されている。さらにロック片４１と突起部２１ａの係止状態を解除する解除ボタン４３が備える解除バー４３ａが接触して摺動する鋭角の傾斜面である解除面４１ｃを備えている。
バネ部材４７は、金属製の細い棒状材を折り曲げ、その屈曲部にピン４５に挿貫される中空状の空間部が形成されてなり、ピン４５を空間部に貫通させた状態でバネ部材収容部４１ｄ内に配置されている。これによりロック片４１は図１０に示すＸ方向に付勢されている。
【００３１】
ここで、図１２（ａ）〜（ｃ）を参照しながらロック片４１が突起部２１ａに係止されるに至るまでの動きについて説明する。図１２（ａ）〜（ｃ）はロック片４１と突起部２１ａとの関係を側面から示した説明図である。
初めに、手摺部材３０の基端部３１を支点として回動させて手摺部材３０を傾倒させ、先端部３３に設けられたロック機構４０を連結部材２０に近接させる（図１２（ａ））。そして、手摺部材３０をさらに下ろしてチャッキングバー２１の先端部を開口部４９内に案内するとロック片４１の滑り面４１ａが突起部２１ａに接触してその表面を摺動する。このとき、図１２（ｂ）に示すように、円柱状の突出片２１ｂの突出高さのためロック片４１はバネ部材４７の付勢力に逆らってそれとは反対方向（Ｘ方向とは反対方向）に押圧され、ピン４５を支点として揺動する。さらに手摺部材３０が下ろされると突起部２１ａは滑り面４１ａの縁端部を通過し、ロック片４１はバネ部材４７の付勢力によって再びＸ方向に押し戻されて突出片２１ｂが係止部４１ｂに係止される（図１２（ｃ））。このような動作によって手摺部材３０が連結部材２０に連結固定される。
【００３２】
また、ロック片４１を係止する突起部２１ａが円柱状をしていることから手摺部材３０の設置角度が多少変化しても確実にロックすることができる。すなわち、図１４に示すように、跳ね上げ動作のための回動の支点となる手摺部材３０の基端部３１が傾斜に対して下側に配置されている場合にはＡ方向から連結動作が行われ、回動の支点となる手摺部材３０の基端部３１が傾斜に対して上側に配置されている場合にはＢ方向から連結動作が行われ、いずれの方向からでもロックが可能となっている。
【００３３】
ロック片４１と突起部２１ａの係止状態を解除する解除ボタン４３は、上述した解除バー４３ａと、解除ボタン４３を下方向に付勢するバネ部材４３ｂを備えて構成されている。解除ボタン４３は、通常の状態では、バネ部材４３ｂによって下方向に付勢され、これによって解除バー４３ａがバネ部材４７によるロック片４１の付勢を阻害しないようになっている。一方、解除ボタン４３を押し込むと解除バー４３ａが解除面４１ｃに接触してこれを押圧し、ロック片４１を付勢するバネ部材４７の付勢力に抗してロック片４１を図１０に示すＸ方向とは反対方向に揺動させる。これにより、突起部２１ａに係止された係止部４１ｂとの係止状態が解除され、手摺部材３０をその基端部３１を支点として跳ね上げることができる。尚、図１３（ａ）（ｂ）に手摺部材３０と連結部材２０との着脱状態を示す。
【００３４】
手摺部材３０の設置角度は設置場所の傾斜に応じて鋭角から鈍角まで連続的に対応可能であることは上述した通りであるが、さらに、支持部材１０及び連結部材２０の水平方向における取り付け角度も設置場所の状況に応じて適宜連続的に対応させることができる。すなわち、支柱３への支持部材１０のジョイント金具１３、１３の取り付け角度を適宜選択すると共に、支柱５への連結部材２０のジョイント金具１３、１３の取り付け角度を適宜選択することにより図１５（ａ）〜（ｃ）に示すような様々な設置状態を作り出すことができる。従って、手摺部材３０の傾斜角及び水平角が自由に選択することができるので手摺の設置場所を選ばずに設置することが可能となる。例えば、傾斜面の勾配が不規則に変化しており、しかもカーブの角度も一定ではないような傾斜地に対しても容易に設置することができる。
【符号の説明】
【００３５】
１      跳ね上げ式手摺
３      支柱
５      支柱
１０      支持部材
１１    支持バー
１１ａ      空隙部
１１ｂ      挿入部
１１ｃ      溝部
１１ｄ      抜止突起
１３      ジョイント金具
１３ａ      挟持片
１３ｂ      ボルト
１３ｃ      ナット
１３ｅ      凸部
１３ｄ      凹部
２０      連結部材
２１      チャッキングバー
２１ａ      突起部
２１ｂ      突出片
２１ｃ      溝部
２１ｄ      抜止突起
３０      手摺部材
３１      基端部
３３      先端部
３５      挿入片
４０      ロック機構
４１      ロック片
４１ａ      滑り面
４１ｂ      係止部
４１ｃ      解除面
４１ｄ      バネ部材収容部
４１ｅ      孔部
４３      解除ボタン
４３ａ      解除バー
４３ｂ      バネ部材
４５      ピン
４７      バネ部材
４９      開口部
【図１】
0004499738.tif 000002
【図２】
0004499738.tif 000003
【図３】
0004499738.tif 000004
【図４】
0004499738.tif 000005
【図５】
0004499738.tif 000006
【図６】
0004499738.tif 000007
【図７】
0004499738.tif 000008
【図８】
0004499738.tif 000009
【図９】
0004499738.tif 000010
【図１０】
0004499738.tif 000011
【図１１】
0004499738.tif 000012
【図１２】
0004499738.tif 000013
【図１３】
0004499738.tif 000014
【図１４】
0004499738.tif 000015
【図１５】
0004499738.tif 000016